(57)【特許請求の範囲】
【請求項１】
光源と、スライド操作形の電子部品と、透明または半透明のシートに遮光用塗料を所定形状に塗布して遮光部を設けて上記光源と電子部品の間に配置された調光シートと、上記光源、電子部品および調光シートを内包・固定する本体カバーおよび基板と、本体カバーから外方に突出した上記電子部品の操作レバー先端に装着された操作ノブと、この操作ノブを貫通して配置され、一端が操作ノブ先端の照光部で他端が受光部となった透明樹脂製の導光体からなり、上記操作ノブのスライド操作位置によって上記照光部の明るさが変わらないように、上記調光シートを上記操作ノブのスライド操作範囲の長さとすると共に、上記遮光部の形状を上記光源に近い部分は広く、遠い部分は狭い形状とした照明付スライド操作形電子部品。
【請求項２】
調光シートに着色することにより操作ノブ先端の照光部の照明色を調整する構成とした請求項１記載の照明付スライド操作形電子部品。
【発明の詳細な説明】
【０００１】
【発明の属する技術分野】
本発明は、主として自動車の車室内等に装着される各種機器に使用されるボリュームやスイッチ等の照明付スライド操作形電子部品に関するものである。
【０００２】
【従来の技術】
この種の従来の照明付スライド操作形電子部品の構成を図５および図６により説明する。
【０００３】
図５は上記照明付スライド操作形電子部品の構成を示した側面断面図、図６は同電子部品の本体カバーを除いた状態の分解斜視図であり、同図において、１は本体カバー、２は本体カバー１に固定される基板、３は基板２に取り付けられた光源、４は光源３の光を所定の場所へ導く光源側導光体、５は基板２あるいは本体カバー１に取り付けられるボリューム・スイッチ等のスライド操作形の電子部品、６はこの電子部品５の操作レバー５Ａに装着された電子部品５を本体カバー１の外方から操作するための操作ノブで、先端に下記の照光部７Ｂを有している。
【０００４】
この操作ノブ６の中心部には透明樹脂からなるノブ側導光体７が貫通しており、光源３からの光を後端の受光部であるテーパ部７Ａで受けて反射し、前端の照光部７Ｂが操作ノブ６の先端で光る構成となっている。
【０００５】
そして、上記操作ノブ６で電子部品５をスライド操作する際に、操作ノブ６の位置によってノブ側導光体７前端の照光部７Ｂの明るさが変わらないようにするため、光源３の光をノブ側導光体７に導くための光源側導光体４の反射面４Ａや発光面４Ｂ等にシボ加工や光が乱反射するような凹凸部を設けたり、曲面形状にする等の工夫をしていた。
【０００６】
【発明が解決しようとする課題】
しかしながら上記従来の照明付スライド操作形電子部品の構成では、操作ノブ６先端の照光部７Ｂの明るさの変更や調整を行う際には、光源側導光体４の反射面４Ａや発光面４Ｂのシボ加工や面形状を変更して検討しなければならないために光源側導光体４の金型を変更する必要があり、時間と費用がかかると共に、微調整が困難であった。
【０００７】
また、操作ノブ６先端の照光部７Ｂの明るさ調整のため、光源側導光体４を手加工して実験検討しても、その結果が正確に金型による量産加工品に反映されるとは限らないという課題もあった。
【０００８】
本発明はこのような従来の課題を解決しようとするものであり、操作ノブ先端の照光部の明るさの変更や調整が容易にできると共に、照光部の明るさに対する実験検討の結果を量産品に反映し易い照明付スライド操作形電子部品を提供することを目的とするものである。
【０００９】
【課題を解決するための手段】
本発明は上記課題を解決するために、透明または半透明のシートに遮光用塗料を所定形状に塗布して遮光部を設けた調光シートを光源とノブ側導光体の間に配置し、操作ノブのスライド位置によって遮光部の形状・面積を変えることにより照光部の明るさを調整するようにしたものである。
【００１０】
これにより、金型の変更をしないで、容易に操作ノブ先端の照光部の明るさの変更や調整ができると共に、照光部の明るさに対する実験検討の結果を正確に量産品に反映できる。
【００１１】
【発明の実施の形態】
本発明の請求項１に記載の発明は、光源と、スライド操作形の電子部品と、透明または半透明のシートに遮光用塗料を所定形状に塗布して遮光部を設けて上記光源と電子部品の間に配置された調光シートと、上記光源、電子部品および調光シートを内包・固定する本体カバーおよび基板と、本体カバーから外方に突出した上記電子部品の操作レバー先端に装着された操作ノブと、この操作ノブを貫通して配置され、一端が操作ノブ先端の照光部で他端が受光部となった透明樹脂製の導光体からなり、上記操作ノブのスライド操作位置によって上記照光部の明るさが変わらないように、上記調光シートを上記操作ノブのスライド操作範囲の長さとすると共に、上記遮光部の形状を上記光源に近い部分は広く、遠い部分は狭い形状とした構成としたものであり、操作ノブのスライド位置によって調光シートの遮光部の大きさ・形状を変えることにより、操作ノブ先端の照光部の明るさの変更・調整が容易にできると共に、照光部の明るさに対する実験検討の結果を正確に量産品に反映できるという作用を有する。
【００１２】
請求項２に記載の発明は、請求項１記載の発明において、調光シートに着色することにより操作ノブ先端の照光部の照明色を調整する構成としたものであり、照光部の照明の色の調整が容易にできるという作用を有する。
【００１３】
以下、本発明の一実施の形態について図１〜図４を用いて説明する。
なお、同図において、従来例で説明した部分と同じ構成の部分については同一の番号を付与して説明を省略する。
【００１４】
図１は本発明の一実施の形態による照明付スライド操作形電子部品の構成を示した側面断面図、図２は同電子部品の本体カバーを除いた状態の分解斜視図であり、同図において、本体カバー１、基板２、光源３、スライド操作形の電子部品５、操作ノブ６およびノブ側導光体７（以下の説明において、導光体と表現する）は従来例と同様の構成であり、光源３と電子部品５の間に位置するように基板２に取り付けられた１１は調光シートである。
【００１５】
この調光シート１１は、透明または半透明のシート１１Ａに遮光用塗料を所定の形状に塗布して遮光部１１Ｂを設けたものであり、電子部品５の操作レバー５Ａが動く範囲全体に亘る長さを有し、光源３から導光体７に達する光の量を調整する機能を有している。
【００１６】
従って、この照明付スライド操作形電子部品の照明構造において、光源３から出た光は図１に矢印で示すように、調光シート１１の遮光部１１Ｂ以外の透明または半透明のシート１１Ａの部分を透過して導光体７後端の受光部であるテーパ部７Ａで受けて反射され、図３の外観斜視図に示すように、機器の本体カバー１の外方に位置する操作ノブ６の先端で導光体７前端の照光部７Ｂを光らすように構成されている。
【００１７】
そして、操作ノブ６で電子部品５をスライド操作する際に、操作ノブ６の位置によって導光体７前端の照光部７Ｂの明るさが変わらないようにするため、調光シート１１の遮光用塗料を塗布した遮光部１１Ｂの形状は、図４の平面図に示すように、光源３に近い中央部では広く、光源３から遠い両端部では狭い形状となっている。
【００１８】
この調光シート１１の遮光部１１Ｂは、光源３と電子部品５との位置関係や光源３の数によってその形状が変わるものであり、操作ノブ６のスライド移動に伴う照光部７Ｂの明るさに対する実験検討の結果により最適形状が決められる。
【００１９】
そして、この実験検討は、調光シート１１の透明または半透明のシート１１Ａに遮光性の塗料を塗るか、または遮光部１１Ｂの塗料を薬品等により除去すればよいので非常に簡単にできると共に、実験検討の結果決められた遮光部１１Ｂの形状を透明または半透明のシート１１Ａの上に正確に印刷再現することは容易である。
【００２０】
また、調光シート１１の透明または半透明のシート１１Ａとして、光透過性の着色を施したシートを使用するか、透明または半透明のシート１１Ａの必要な部分に光透過性の着色を施すことにより、操作ノブ６先端の照光部７Ｂの照明色を変色・調整することも可能である。
【００２１】
【発明の効果】
以上のように本発明によれば、スライド方式操作ノブ先端の照光部の明るさの変更や調整に際して金型を変更する必要はなく、手加工によって調光シートの遮光部の形状・面積を変えることにより実験検討することができるので、時間や費用がかからず微調整も容易にできる。
【００２２】
また、実験検討して得られた結果を量産品に正確に印刷再現することも容易である。
【００２３】
更に、調光シートに着色することにより照光部の照明色を変色・調整することも簡単にできるという効果が得られる。
【図面の簡単な説明】
【図１】本発明の一実施の形態による照明付スライド操作形電子部品の構成を示す側面断面図
【図２】同電子部品の本体カバーを除いた状態の分解斜視図
【図３】同電子部品の外観斜視図
【図４】同調光シートの平面図
【図５】従来の照明付スライド操作形電子部品の構成を示す側面断面図
【図６】同電子部品の本体カバーを除いた状態の分解斜視図
【符号の説明】
１  本体カバー
２  基板
３  光源
５  電子部品
５Ａ  操作レバー
６  操作ノブ
７  導光体
７Ａ  テーパ部
７Ｂ  照光部
１１  調光シート
１１Ａ  透明または半透明のシート
１１Ｂ  遮光部
【図１】
0003937470.tif 000002
【図２】
0003937470.tif 000003
【図３】
0003937470.tif 000004
【図４】
0003937470.tif 000005
【図５】
0003937470.tif 000006
【図６】
0003937470.tif 000007